(57)【要約】【課題】平帯および丸帯に取り付けることができ、帯を傷つけることがないようにする。【解決手段】装飾体が表面に形成された基枠１の背面には凹部が形成され、蝶番部４を介して挟持部３が回動可能に接続されている。基枠１のほぼ中央には凹部が形成され、その一端には磁石５が設けられている。挟持部３のほぼ中央には凹部が形成され、その一端には磁石６が設けられている。平帯は、挟持部３と基枠１の凹部以外の部分で構成される矩形の開口に挿通され、丸帯は、基枠１の凹部と挟持部３との間の開口に挿通される。【選択図】図１
0003119329.tif 000002
【実用新案登録請求の範囲】
【請求項１】
表面に装飾体が取り付けられる基枠と、
前記基枠の背面に蝶番を介して回動自在に取り付けられた挟持部と、
前記挟持部を前記基枠側に倒したとき、前記挟持部と前記基枠とを密着させるために前記挟持部および前記基枠の双方に設けられた磁石とを備え、
前記挟持部および前記基枠の少なくとも一方に、丸帯を挟持するための凹部が形成され、前記挟持部を前記基枠側に倒したとき、平帯および丸帯を挿通可能な挿通口が形成されることを特徴とする帯留め。
【請求項２】
前記基枠に平帯および丸帯を挿通するための凹部が形成され、前記挟持部に丸帯を挿通するための凹部が形成されていることを特徴とする請求項１に記載の帯留め。
【請求項３】
前記基枠に平帯を挿通するための矩形の挿通口が形成され、その端部が折り返されていることを特徴とする請求項２に記載の帯留め。
【考案の詳細な説明】
【技術分野】
【０００１】
本考案は、帯留めに関し、特に、種々の帯に取り付け可能な種々の帯留めに関する。
【背景技術】
【０００２】
従来より、女帯を結んだときに帯が解けるのを防止するために、平帯や丸帯が用いられている。最近では、これらの帯に、装飾した帯留めを用いて帯の正面を飾ることが行われている。この帯留めには、帯を通すための開口部が形成されており、そこに帯を通すことができるようになっている。しかしながら、帯留めに帯を通す時に、帯の表面を損傷する場合があった。
【０００３】
このような問題を解消するために、特許文献１には、装飾体が取り付けられる基枠に開閉可能な挟着用レバーを設け、帯を基枠と挟着用レバーとの間で挟持することにより、帯に簡単に取り付けることができる帯留めが提案されている。また、特許文献２には、帯を挟持するバネ部が湾曲し、丸帯にも取り付け可能な構造のものが提案されている。
【特許文献１】実開平７−３３９３６号公報
【特許文献２】実公昭４４−２４９６号公報
【考案の開示】
【考案が解決しようとする課題】
【０００４】
しかしながら、帯には、帯を止める部分の断面が矩形の平帯と、その断面が円形の丸帯とがあり、いずれの帯にも帯を損傷することなく取り付け可能な帯留めはなかった。
【０００５】
本考案は、上述の課題に鑑み、帯留めを開閉する機構を備え、磁石で閉状態を維持することによって、帯の断面形状にかかわらず、帯を傷つけることなく、帯に簡単に取り付けることができる帯留めを提供することを目的とする。
【課題を解決するための手段】
【０００６】
上述の課題を解決するために、本考案に係る帯留めは、表面に装飾体が取り付けられる基枠と、基枠の背面に蝶番を介して回動自在に取り付けられた挟持部と、挟持部と基枠とを密着させるために挟持部および基枠の双方に設けられた磁石とを備え、挟持部および基枠の少なくとも一方に、丸帯を挟持するための凹部が形成され、挟持部を基枠側に倒したとき、平帯および丸帯を挿通可能な挿通口が形成されることを特徴とする。
【０００７】
好ましくは、基枠に平帯および丸帯を挿通するための凹部が形成され、挟持部に丸帯を挿通するための凹部が形成されていることを特徴とする。
【０００８】
好ましくは、基枠に平帯を挿通するための矩形の挿通口が形成され、その端部が折り返されていることを特徴とする。
【考案の効果】
【０００９】
本考案によれば、表面に装飾体が取り付けられる基枠と、基枠の背面に蝶番を介して回動自在に取り付けられた挟持部と、挟持部と基枠とを密着させるために、挟持部および基枠の双方に設けられた磁石とを備え、挟持部および基枠の少なくとも一方に、丸帯を挟持するための凹部が形成され、挟持部を基枠側に倒したとき、平帯または丸帯を挿通可能な挿通口が形成されるようにしたので、帯の断面形状にかかわらず、帯を損傷することなく帯に本帯留めを取り付けることができる。
【００１０】
また、本考案によれば、基枠に平帯および丸帯を挿通するための凹部が形成され、挟持部に丸帯を挿通するための凹部が形成されるようにしたので、丸帯に取り付けたときに、丸帯を損傷することなく本帯留めを取り付けることができる。
【００１１】
また、本考案によれば、基枠に平帯を挿通するための矩形の挿通口が形成され、その端部が折り返されるようにしたので、平帯に本帯留めを確実に取り付けることができる。
【考案を実施するための最良の形態】
【００１２】
（第１実施形態）
以下、本考案の第１実施形態について図面を参照しながら説明する。図１乃至図６は、本考案の第１実施形態としての帯留めを示すものである。この第１実施形態の帯留めは、表面に装飾体２が形成され、背面の一方の端部に蝶番部４が設けられ、他方の端部に磁石５が設けられた基枠１と、基枠１に蝶番部４を介して回動自在に一端が取り付けられ、他端に上記磁石５と吸引する磁石６を有する挟持部３とから構成されている。
【００１３】
図１は、第１実施形態の帯留めの側面図である。同図に示すように、第１実施形態の帯留めでは、基枠１の背面側の中央に半円状の凹部が形成され、挟持部３を閉じて磁石５と磁石６が密着するようにしたとき、丸帯がこの凹部に入るようになっている。また、挟持部３を基枠１側に倒して閉じたとき、基枠１の凹部でない直線部分と挟持部３との間には、矩形の挿通口（開口）が形成され、この開口に平帯が入るようになっている。
【００１４】
図２は、磁石５と磁石６とを引き離して挟持部３を開いた状態を示す側面図である。この状態で、帯を磁石５と磁石６の間を通すことにより、帯留めを帯に簡単に取り付けることができる。
【００１５】
図３は、第１実施形態の帯留めの背面図である。同図に示すように、挟持部３は、一対のアーム７が連結された構成とされ、各アーム７の先端には磁石６がそれぞれ取り付けられている。図４は、第１実施形態の帯留めの斜視図である。点線で示した基枠１には磁石６に対応する位置に磁石５が設けられ、蝶番部４を介して回動自在に取り付けられた挟持部３の各アーム７の先端に磁石６が設けられている。
【００１６】
図５は、第１実施形態の帯留めに平帯を取り付けた状態を示す断面図である。同図に示すように、第１実施形態の帯留めは、挟持部３を閉じたときに形成される矩形の挿通口に平帯が丁度収まるようになっている。
【００１７】
図６は、第１実施形態の帯留めに丸帯を取り付けた状態を示す一部断面図である。同図に示すように、第１実施形態の帯留めは、挟持部３を閉じたときに平帯が収まる矩形の開口と、基枠１に形成された半円状の凹部によって丸帯が収まる円形またはほぼ円形の開口が形成される。
【００１８】
このように、第１実施形態の帯留めでは、平帯および丸帯の双方に簡単に取り付けることができるとともに、帯の形状に合わせた開口を有するので、丸帯および平帯を傷つけることがない。
【００１９】
（第２実施形態）
以下、本考案の第２実施形態の帯留めについて図面を参照しながら説明する。図７乃至図９は、本考案の第２実施形態の帯留めを示すものである。この第２実施形態の帯留めでは、図１に示した第１実施形態の帯留めにおいて、挟持部３を挟持部１３に置き換えた構成となっている。第２実施形態の帯留めの挟持部１３の内側には中央に凹部が形成され、基枠１に形成された凹部と合わせて円形またはほぼ円形の挿通口が形成されるようになっている。この挿通口に丸帯を挿通させることにより、丸帯を傷つけることなく挟持することができるようになっている。
【００２０】
図７は、第２実施形態の帯留めの挟持部１３を開いた状態を示す側面図である。図７に示すように、基枠１および挟持部１３のそれぞれにおいて、凹部が形成されていない直線部分により矩形の挿通口が形成され、この挿通口に平帯を挿通させることにより、平帯を傷つけることなく挟持することができるようになっている。
【００２１】
図８は、第２実施形態の帯留めに平帯を取り付けた状態を示す断面図である。図８に示すように、基枠１および挟持部１３のそれぞれにおいて、凹部が形成されていない直線部分により形成された矩形の挿通口に平帯が丁度収まるようになっている。
【００２２】
図９は、第２実施形態の帯留めに丸帯を取り付けた状態を示す断面図である。図９に示すように、基枠１および挟持部１３のそれぞれに形成された凹部により、円形またはほぼ円形の挿通口が形成され、この挿通口に丸帯を挿通させることにより、丸帯を傷つけることなく挟持することができるようになっている。
【００２３】
このように、第２実施形態の帯留めでは、平帯および丸帯の双方を簡単に取り付けることができ、平帯および丸帯を傷つけることがない。特に、丸帯を挿通するための十分な大きさの挿通口が形成されるため、丸帯に取り付けた場合でも丸帯を傷つけることがない。
【００２４】
（第３実施形態）
以下、本考案の第３実施形態の帯留めについて図面を参照しながら説明する。図１０乃至図１５は、本考案の第３実施形態の帯留めを示すものである。この第３実施形態の帯留めは、装飾体と一体形成された基枠２１と、基枠２１の一方の端部に設けられた蝶番部４を介してその一方の端部が回動自在に接続された挟持部２２と、基枠２１の他方の端部に取り付けられた磁石５と、挟持部２２の蝶番部４とは反対側の他方の端部に取り付けられた磁石６とから構成されている。
【００２５】
基枠２１には矩形の凹部が形成され、その矩形の凹部の中央にはさらに半円形状の凹部が形成されている。また、挟持部２２の中央にも半円形状の凹部が形成されており、挟持部２２を閉じて磁石５と磁石６とを密着した状態にしたとき、各凹部によって円形またはほぼ円形の挿通口が形成されるようになっている。
【００２６】
また、この第３実施形態では、基枠２１の磁石５が設けられている方の端部が内側に折り返されており、この折り返し部分等で形成された矩形の挿通口に平帯が挿通され、平帯を確実に取り付け、ずれないようにすることができるようになっている。
【００２７】
図１０は、挟持部２２が閉じられた状態を示す側面図であり、基枠２１と挟持部２２の間に矩形および円形またはほぼ円形の挿通口がそれぞれ形成されている。図１１は、挟持部２２を開いたときの状態を示す側面図である。図１２は、基枠２１の分解斜視図である。図１３は、挟持部２２の分解斜視図である。
【００２８】
図１４は、第３実施形態の帯留めに平帯を取り付けた状態を示す断面図である。図１４に示すように、平帯は、基枠２１の折り返し部分等で形成された矩形の挿通口に挿通され、確実に挟持されている。
【００２９】
図１５は、第３実施形態の帯留めに丸帯を取り付けた状態を示す断面図である。図１５に示すように、丸帯は、基枠２１および挟持部２２の各凹部によって形成された円形またはほぼ円形の挿通口に挿通され、挟持されている。
【００３０】
このように、第３実施形態の帯留めでは、平帯および丸帯の双方に簡単に取り付けることができ。平帯および丸帯を傷つけることがない。特に、基枠２１の一端に折り返し部分が形成されているので、平帯に取り付けた場合において、平帯をより確実に挟持し、ずれが生じないようにすることができる。
【００３１】
本考案は、上述した各実施形態に限定されるものではなく、この考案の要旨を逸脱しない範囲内で様々な変形や応用が可能である。
【産業上の利用可能性】
【００３２】
本考案は、種々の帯に取り付け可能な帯留めとして利用可能である。
【図面の簡単な説明】
【００３３】
【図１】本考案の第１実施形態の構成例を示す側面図である。
【図２】本考案の第１実施形態の側面図である。
【図３】本考案の第１実施形態の背面図である。
【図４】本考案の第１実施形態の斜視図である。
【図５】本考案の第１実施形態を平帯に取り付けた場合の側面図である。
【図６】本考案の第１実施形態を丸帯に取り付けた場合の側面図である。
【図７】本考案の第２実施形態の側面図である。
【図８】本考案の第２実施形態を平帯に取り付けた場合の側面図である。
【図９】本考案の第２実施形態を丸帯に取り付けた場合の側面図である。
【図１０】本考案の第３実施形態の構成例を示す側面図である。
【図１１】本考案の第３実施形態の側面図である。
【図１２】本考案の第３実施形態の基枠の分解斜視図である。
【図１３】本考案の第３実施形態の挟持部の分解斜視図である。
【図１４】本考案の第３実施形態を平帯に取り付けた場合の側面図である。
【図１５】本考案の第３実施形態を丸帯に取り付けた場合の側面図である。
【符号の説明】
【００３４】
１，２１  基枠
２  装飾体
３，１３，２２  挟持部
４  蝶番部
・  磁石
７  アーム
８  平帯
９  丸帯
【図１】
0003119329.tif 000003
【図２】
0003119329.tif 000004
【図３】
0003119329.tif 000005
【図４】
0003119329.tif 000006
【図５】
0003119329.tif 000007
【図６】
0003119329.tif 000008
【図７】
0003119329.tif 000009
【図８】
0003119329.tif 000010
【図９】
0003119329.tif 000011
【図１０】
0003119329.tif 000012
【図１１】
0003119329.tif 000013
【図１２】
0003119329.tif 000014
【図１３】
0003119329.tif 000015
【図１４】
0003119329.tif 000016
【図１５】
0003119329.tif 000017